(57)【特許請求の範囲】
【請求項１】
メッセージ選別システムであって、
配信中の映像に対して投稿されたメッセージを蓄積する蓄積手段と、
前記蓄積手段に蓄積されたメッセージをリアルタイムに配信するメッセージ配信手段と、
前記メッセージ配信手段が所定の時間内に所定の量以下のメッセージを配信できるように、前記蓄積手段のメッセージを選別する選別手段と、
前記映像を配信する映像配信手段と、を備え、
前記映像の配信先の端末装置の表示画面の一部に、前記メッセージ配信手段が配信するメッセージが表示され、
前記メッセージ配信手段は、前記選別手段が選別したメッセージを配信し、
前記選別手段は、メッセージのテキストに基づいて、前記蓄積手段に蓄積されたメッセージの優先度を決定し、決定した優先度の高い順にメッセージを選択すること
を特徴とするメッセージ選別システム。
【請求項２】
請求項１に記載のメッセージ選別システムであって、
前記選別手段は、メッセージの優先度の決定する優先度ルールを複数備え、ユーザが選択した優先度ルールで決定された優先度の高い順に配信するメッセージを選択すること
を特徴とするメッセージ選別システム。
【請求項３】
請求項１または２に記載項に記載のメッセージ選別システムであって、
前記選別手段は、ユーザからメッセージの削除要求を受け付け、削除要求を受け付けた数を削除要求のメッセージの投稿者毎にカウントし、削除要求が所定の数を超える投稿者のメッセージは、配信するメッセージとして選択しないこと
を特徴とするメッセージ選別システム。
【請求項４】
請求項１から３のいずれか一項に記載のメッセージ選別システムであって、
前記メッセージ配信手段は、メッセージのテキストに基づいて、メッセージをグループ分けし、グループ毎に表示態様を決定すること
を特徴とするメッセージ選別システム。
【請求項５】
請求項４に記載のメッセージ選別システムであって、
前記メッセージ配信手段は、前記グループ毎に所定の色を用いてメッセージを表示させること
を特徴とするメッセージ選別システム。
【請求項６】
メッセージ選別方法であって、
メッセージ選別システムは、
配信中の映像に対して投稿されたメッセージを蓄積する蓄積部を備え、
所定の時間内に所定の量以下のメッセージを配信できるように、前記蓄積部のメッセージを選別する選別ステップと、
前記選別手段が選別したメッセージをリアルタイムに配信するメッセージ配信ステップと、
前記映像を配信する映像配信ステップと、を行い、
前記映像の配信先の端末装置の表示画面の一部に、前記メッセージ配信ステップで配信するメッセージが表示され、
前記選別ステップは、メッセージのテキストに基づいて、前記蓄積部に蓄積されたメッセージの優先度を決定し、決定した優先度の高い順にメッセージを選択すること
を特徴とするメッセージ選別方法。
【請求項７】
請求項６に記載のメッセージ選別方法であって、
前記メッセージ配信ステップは、メッセージのテキストに基づいて、メッセージをグループ分けし、グループ毎に表示態様を決定すること
を特徴とするメッセージ選別方法。
【請求項８】
メッセージ選別システムが実行するメッセージ選別プログラムであって、
メッセージ選別システムを、
配信中の映像に対して投稿されたメッセージを蓄積する蓄積手段、
前記蓄積手段に蓄積されたメッセージをリアルタイムに配信するメッセージ配信手段、
前記メッセージ配信手段が所定の時間内に所定の量以下のメッセージを配信できるように、前記蓄積手段のメッセージを選別する選別手段、および、
前記映像を配信する映像配信手段と、として機能させ、
前記映像の配信先の端末装置の表示画面の一部に、前記メッセージ配信手段が配信するメッセージが表示され、
前記メッセージ配信手段は、前記選別手段が選別したメッセージを配信し、
前記選別手段は、メッセージのテキストに基づいて、前記蓄積手段に蓄積されたメッセージの優先度を決定し、決定した優先度の高い順にメッセージを選択すること
を特徴とするメッセージ選別プログラム。
【発明の詳細な説明】
【技術分野】
【０００１】
本発明は、メッセージを選別して配信するメッセージ選別システム、メッセージ選別方法、および、メッセージ選別プログラムに関する。
【背景技術】
【０００２】
メッセージをサーバから取得して表示する技術として、例えば、メール、ツイッター（twitter）などがある。また、特許文献１には、アーカイブされた映像をコメントとともに表示させる技術が記載されている。また、ストリーム型映像配信でツイッターとともに視聴するものや、テレビの映像にツイッターやフェースブック（Facebook）のコメントを表示する技術も開発されている。
【先行技術文献】
【特許文献】
【０００３】
【特許文献１】特開2004-362452号公報
【発明の概要】
【発明が解決しようとする課題】
【０００４】
しかし、映像とコメントを同時に見る場合、短時間に多くのコメントが端末に送信された場合、人はそれらのコメントを全て見ることはできない。
【０００５】
メール等のようにリアルタイム性がないものは保存しておけばよいが、映像と同期したコメントの場合は、読めるコメントの量が限られる。また、全てのコメントを送信すると、ネットワークの負荷が増大する。
【０００６】
また、特許文献１では、映像とともにコメントを表示するが、表示されるコメントは、過去に投稿され、アーカイブされたコメントであって、コメントをリアルタイムに配信することについては考慮されていない。
【０００７】
本発明は上記事情に鑑みてなされたものであり、本発明の目的は、リアルタイムにメッセージを選別し、配信するメッセージ選別システム、メッセージ選別方法、および、メッセージ選別プログラムを提供することにある。
【課題を解決するための手段】
【０００８】
上記目的を達成するため、本発明は、メッセージ選別システムであって、配信中の映像に対して投稿されたメッセージを蓄積する蓄積手段と、前記蓄積手段に蓄積されたメッセージをリアルタイムに配信するメッセージ配信手段と、前記メッセージ配信手段が所定の時間内に所定の量以下のメッセージを配信できるように、前記蓄積手段のメッセージを選別する選別手段と、前記映像を配信する映像配信手段と、を備え、前記映像の配信先の端末装置の表示画面の一部に、前記メッセージ配信手段が配信するメッセージが表示され、前記メッセージ配信手段は、前記選別手段が選別したメッセージを配信し、前記選別手段は、メッセージのテキストに基づいて、前記蓄積手段に蓄積されたメッセージの優先度を決定し、決定した優先度の高い順にメッセージを選択する。
【０００９】
本発明は、メッセージ選別方法であって、メッセージ選別システムは、配信中の映像に対して投稿されたメッセージを蓄積する蓄積部を備え、所定の時間内に所定の量以下のメッセージを配信できるように、前記蓄積部のメッセージを選別する選別ステップと、前記選別手段が選別したメッセージをリアルタイムに配信するメッセージ配信ステップと、前記映像を配信する映像配信ステップと、を行い、前記映像の配信先の端末装置の表示画面の一部に、前記メッセージ配信ステップで配信するメッセージが表示され、前記選別ステップは、メッセージのテキストに基づいて、前記蓄積部に蓄積されたメッセージの優先度を決定し、決定した優先度の高い順にメッセージを選択する。
【００１０】
本発明は、メッセージ選別システムが実行するメッセージ選別プログラムであって、メッセージ選別システムを、配信中の映像に対して投稿されたメッセージを蓄積する蓄積手段、前記蓄積手段に蓄積されたメッセージをリアルタイムに配信するメッセージ配信手段、前記メッセージ配信手段が所定の時間内に所定の量以下のメッセージを配信できるように、前記蓄積手段のメッセージを選別する選別手段、および、前記映像を配信する映像配信手段と、として機能させ、前記映像の配信先の端末装置の表示画面の一部に、前記メッセージ配信手段が配信するメッセージが表示され、前記メッセージ配信手段は、前記選別手段が選別したメッセージを配信し、前記選別手段は、メッセージのテキストに基づいて、前記蓄積手段に蓄積されたメッセージの優先度を決定し、決定した優先度の高い順にメッセージを選択する。
【発明の効果】
【００１１】
本発明によれば、リアルタイムにメッセージを選別し、配信するメッセージ選別システム、メッセージ選別方法、および、メッセージ選別プログラムを提供することができる。
【図面の簡単な説明】
【００１２】
【図１】本発明の実施形態に係るメッセージ選別システムの構成を示す構成図である。
【図２】メッセージ配信サーバの構成を示すブロック図である。
【図３】メッセージ配信サーバの処理を示すフローチャートである。
【図４】表示画面の一例を示す図である。
【図５】優先度ルールが表示された表示画面の一例を示す図である。
【図６】表示画面の他の一例を示す図である。
【発明を実施するための形態】
【００１３】
以下、本発明の実施形態について説明する。
【００１４】
図１は、本発明の実施形態に係るメッセージ選別システムの全体構成を示す構成図である。本実施形態のメッセージ選別システムは、ネットワークを介して不特定多数のユーザが投稿したメッセージをリアルタイムで端末装置に配信する際に、メッセージを選別して配信するものである。
【００１５】
本実施形態のメッセージ選別システムは、メッセージサーバ１と、メッセージ配信サーバ２と、映像配信サーバ３と、表示装置を有する端末装置４とを備え、これらはインターネットなどのネットワークを介して接続されている。
【００１６】
メッセージサーバ１は、不特定多数のユーザがネットワークを介して送信・投稿したメッセージを、ネットワークを介してアクセスしたユーザに提供・配信する。メッセージサーバ１に送信されるメッセージとしては、例えば、例えばツイッター（twitter）、フェースブック(facebook)などのリアルタイム型のメッセージが考えられる。
【００１７】
メッセージ配信サーバ２は、メッセージサーバ１に送信されたメッセージを収集し、収集したメッセージを選別して、リアルタイムで端末装置４に配信する。
【００１８】
映像配信サーバ３０（映像配信手段）は、映像を配信するサーバであって、例えば、ＩＰ技術を利用してテレビ映像を配信するＩＰＴＶサーバなどを用いることが考えられる。
【００１９】
端末装置４は、ディスプレイ（表示装置）を備える装置であって、例えば、テレビ、パソコン、スマートフォン、携帯電話などを用いることが考えられる。端末装置４は、メッセージ配信サーバ２が配信するメッセージ、および映像配信サーバ３０が配信する映像を、１つの表示画面で表示する。すなわち、映像が表示されている表示画面の一部に、メッセージ配信部２５が配信するメッセージが表示される。端末装置４は、ブラウザ、ＪＡＶＡ（登録商標）アプリなどの機能を用いて、メッセージおよび映像を表示する。
【００２０】
なお、端末装置４がパソコン、スマートフォン、携帯電話などの場合、メッセージサーバ１にメッセージを送信・投稿することもできる。
【００２１】
図２は、本実施形態のメッセージ配信サーバ２の構成を示すブロック図である。図示するメッセージ配信サーバ２は、通信部２１と、メッセージ収集部２２と、優先度付与部２３（選別手段）と、映像制御部２４と、メッセージ配信部２５と、蓄積部２６と、記憶部２７とを備える。
【００２２】
通信部２１は、ネットワークを介して他のサーバや装置との通信処理を行う。メッセージ収集部２２は、通信部２１を用いてメッセージサーバ１にアクセスし、メッセージサーバ１に投稿・送信されたメッセージをリアルタイムに収集し、蓄積部２６に格納する。
【００２３】
優先度付与部２３は、メッセージ配信部２５が所定の時間内に所定の量以下のメッセージを配信できるように、蓄積部２６のメッセージを選別する。具体的には、優先度付与部２３は、メッセージのテキストまたはメッセージの属性に基づいて、蓄積部２６に蓄積されたメッセージの優先度を決定し、決定した優先度の高い順に配信するメッセージを選択する。また、優先度付与部２３は、ユーザからメッセージの削除要求を受け付け、削除要求を受け付けた数を削除要求のメッセージの投稿者毎にカウントし、削除要求が所定の数を超える投稿者のメッセージは、配信するメッセージとして選択しない。映像制御部２４は、通信部２１を用いて映像配信サーバ３０にアクセスし、映像配信サーバ３０が配信する映像を制御する。
【００２４】
メッセージ配信部２５は、通信部２１を用いて、優先度付与部２３が選別したメッセージをリアルタイムで端末装置４に配信する。また、メッセージ配信部２５は、メッセージのテキストまたはメッセージの属性に基づいて、メッセージをグループ分けし、グループ毎に表示態様を決定する。蓄積部２６には、メッセージサーバ１から収集したメッセージが蓄積される。記憶部２７には、後述する優先度ルールおよび着色ルールなどが記憶される。
【００２５】
なお、メッセージ配信サーバ２の優先度付与部２３は、メッセージ配信サーバ２以外の外部サーバ（不図示）が実行することとしてもよい。この場合、メッセージ配信サーバ２は、優先度付与部２３の替わりに、外部サーバとの接続インタフェースを備える。
【００２６】
上記説明したメッセージサーバ１、メッセージ配信サーバ２および映像配信サーバ３は、例えば、少なくともＣＰＵと、メモリと、ＨＤＤなどの記憶装置とを備えたコンピュータシステムを用いることができる。このコンピュータシステムにおいて、ＣＰＵがメモリ上にロードされた所定のプログラムを実行することにより、各システムの各機能が実現される。例えば、メッセージサーバ１用のプログラムの場合はメッセージサーバ１のＣＰＵが、メッセージ配信サーバ２用のプログラムの場合はメッセージ配信サーバ２のＣＰＵが、そして、映像配信サーバ３用のプログラムの場合は映像配信サーバ３のＣＰＵが実行することにより実現される。また、メッセージサーバ１用のプログラム、メッセージ配信サーバ２用のプログラム、および映像配信サーバ３用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２７】
なお、メッセージ配信サーバ２と映像配信サーバ３は、１つのサーバで実現されるものであってもよい。
【００２８】
次に、本実施形態の処理について説明する。
【００２９】
図３は、本実施形態におけるメッセージ配信サーバ２の処理を示すフローチャートである。
【００３０】
最初に、メッセージ配信サーバ２のメッセージ収集部２２は、メッセージサーバ１に収集要求を送信する。収集要求の送信により、これ以降、メッセージサーバ１から、当該メッセージサーバ１に投稿・送信されたメッセージが、リアルタイム（即座）にメッセージ配信サーバ２に送信される。メッセージ収集部２２は、メッセージサーバ１から送信されたメッセージを蓄積部２６に蓄積する（Ｓ１０）。
【００３１】
なお、メッセージ収集部２２は、収集要求を送信する際に、所定のキーワード（例えば、ハッシュタグ）などを指定することで、メッセージサーバ１に投稿されるメッセージの中から、映像配信サーバ３が配信する映像に関連する所望のメッセージのみを収集することとしてもよい。ハッシュタグは、ツイッターにおいて、特定のテーマについての投稿（ツイート）を検索して一覧表示するための機能である。＃（ハッシュマーク）の後にアルファベットでキーワードを付与することでタグとして利用する。
【００３２】
そして、優先度付与部２３は、蓄積部２６に蓄積されたメッセージの中から、未配信のメッセージを読み込み（Ｓ１１）、記憶部２７に記憶された優先度ルールを読み込む（Ｓ１２）。優先度ルールは、メッセージの優先度の決定するためのルール・条件であって、本実施形態では、複数の優先度ルールが記憶部２７に記憶されているものとする。
【００３３】
そして、優先度付与部２３は、優先度ルール毎に、Ｓ１０で読み込んだメッセージに優先度を設定する（Ｓ１３）。
【００３４】
優先度は、例えば、メッセージのテキスト、メッセージの属性などに基づいて決定する。具体的には、メッセージのテキストに含まれる、所定のハッシュタグ、所定の文言、所定のキーワードなどを用いて、優先度を決定する。また、メッセージの属性には、ユーザＩＤ、ユーザプロフィール、投稿日時などが含まれ、これらを用いて優先度を決定する。
【００３５】
また、メッセージのテキストをテキスト解析し、文脈が途中のものは優先度を低くすることも考えられる。
【００３６】
また、優先度の順位を決定するにあたり、地域性を利用することも考えられる。例えば、メッセージとともに表示される映像が野球の試合の場合、チームのある地域ではそのチームのメッセージを多めに配信する（関西であれば、阪神の応援メッセージを多く配信する）などのカスタマイズを行うことができる。なお、地域情報は、端末装置４からユーザが指定した地域情報をメッセージ配信サーバ２送信する、メッセージとともに映像を視聴している最中に端末装置４を用いてユーザが申告・設定した地域情報をメッセージ配信サーバ２送信する、メッセージのユーザプロフィール、ネットワーク情報などから取得することが考えられる。
【００３７】
また、優先度の順位を決定するにあたり、優先度は何を重視するかを、ユーザが設定できるようにし、それを反映して重み付けをすることとしてもよい。例えば、盛り上がりを重視する場合は、歓声辞書を用いて、歓声の単語が含まれるメッセージに優先度が高くなるような重み付けをする。歓声辞書には、歓声に相当する各単語（テキスト）が登録され、歓声辞書の単語とメッセージとをテキストマッチングすることで、歓声が含まれるメッセージを検出する。
【００３８】
また、解説を重視する場合は、文字数が多いメッセージに優先度が高くなるような重み付けをし、データや説明文などのメッセージが多く選別されるようにする。これにより、端末装置４で表示される映像を視聴しているユーザが、わからない言葉や疑問がわいた場合に、検索する手間を省くようなメッセージ（解説的なメッセージ）や、ユーザに「なるほど！」と思わせるメッセージを端末装置４に配信することができる。
【００３９】
このように、優先度のルール（フィルタセット）を複数用意して、端末装置４のユーザに提示し、選択させることとしてもよい。例えば、第１の優先度ルールは、文脈優先とし、「文書が長いもの」および「文脈がつながっているもの」の優先度を高くする。第２の優先度ルールは、地域優先とし、「ユーザの居住地（端末装置４の位置）と同じ地域のメッセージ」および「放送している映像の試合のチームの本拠地と同じ地域のメッセージ」の優先度を高くする。
【００４０】
なお、優先度の低い、古いメッセージ（投稿時刻から時間が経過しているメッセージ）が、未送信のまま蓄積部２６に残ってしまうため、時間的閾値を設け、所定の時間以上前にメッセージサーバ１に投稿された古いメッセージについては、配信対象として選別しない、または蓄積部２６から削除することとする。
【００４１】
そして、優先度付与部２３は、設定した優先度に基づいて、優先順位の高い順に端末装置４に配信するメッセージを選別（選択）する（Ｓ１４）。すなわち、優先度付与部２３は、所定の時間内に所定の量以下のメッセージが配信できるように選別する。所定の量としては、メッセージの数でもよく、またメッセージの文字数（または行数）などでもよく、端末装置４の表示画面でユーザが見やすい（一定の時間内に読むことができる）、適切な量を、あらかじめ設定しておく。
【００４２】
例えば、優先度付与部２３は、所定の量がメッセージ数：Ｎ件の場合、優先順位の高い順に上位Ｎ件のメッセージを選別する。また、所定の量が文字数：Ｍ文字の場合、優先順位の高い順に各メッセージの文字数を加算し、合計文字数がＭ文字を超えない分のメッセージを選別する。なお、優先度付与部２３は、優先度ルール毎に、配信するメッセージを選別する。
【００４３】
そして、メッセージ配信部２５は、優先度付与部２３が優先度ルール毎に選別した各メッセージを所定の方法で編集する（Ｓ１５）。
【００４４】
図４は、端末装置４の表示装置に表示される表示画像の一例である。図示する表示画像は、映像配信サーバ３が配信する映像４１（野球の試合のテレビ放送）と、メッセージ配信サーバ２が配信する複数のメッセージ４２とが、１つの表示画面で表示されている。
【００４５】
図示する各メッセージでは、投稿者を示す名前やＩＤと、メッセージの内容（投稿内容、コメント、ツイート）と、投稿者を示すサムネイル画像とが、個別の矩形で囲まれている。
【００４６】
また、本実施形態では、Ｓ１４で選別されたメッセージを所定のグループに分類し、グループ毎に表示態様を決定する。例えば、グループ毎に所定の着色ルールを用いてメッセージの表示態様を変更することが考えられる。着色ルールとしては、グループ毎に所定の色を用いて各メッセージ（矩形内の一部または全部）を着色すること（例えば、グループ毎にそれぞれ異なる色で各メッセージを着色すること等）が考えられる。
【００４７】
図示する例で、Ａさんのメッセージ（グループ１）の矩形の上部に緑の線４３を設定し、Ｂさんのメッセージ（グループ２）の矩形の上部に黄色の線を設定し、Ｃさんのメッセージ（グループ３）の矩形の上部に青の線を設定し、Ｄさんのメッセージ（グループ４）の矩形の上部にピンクの線を設定することなどが考えられる。また、線の幅を変化させる４４、色の濃淡を変化させる４５ことも考えられる。
【００４８】
また、着色する部分は、図示する線４３、４４、４５に限らず、矩形内全体４６を着色してもよく、また、矩形の枠、サムネイル画像の枠、投稿者投稿者を示す名前やＩＤ、メッセージの内容の文字などを着色してもよい。
【００４９】
なお、グループ分けに、例えば、Ｓ１３で付与したメッセージの優先度を用いることとしてもよい。優先度に応じて、異なる所定の色を着色、線の太さを変更する、色の濃淡を変更することなどが考えられる。
【００５０】
また、例えば、ハッシュタグまたは地域に応じてメッセージをグループに分類し、あるハッシュタグが含まれるメッセージのグループには当該ハッシュタグ用の色を着色し、または、ある地域のメッセージのグループには当該地域用の色を着色することなどが考えられる。
【００５１】
また、グループ分けとして、１つのまとまりを同じ色に着色することも考えられる。文脈を確認し、前の人のメッセージに対する返信であれば、それらのメッセージを１つのグループとして同じ色を着色してもよい。
【００５２】
また、本実施形態では、矩形で囲まれた各メッセージに、所定の図形を重畳して付加することとしてもよい。図示する例では、新着メッセージに星印４７を設定し、目立たせることとしてもよい。
【００５３】
また、図示する例では、矩形で囲まれた各メッセージに×印４８を設定する。×印４８は、メッセージの削除要求を端末装置４のユーザが入力するための図形である。ユーザが×印４８をクリックするなどの操作を行うことにより、削除要求がメッセージ配信サーバ２に送信される。削除要求にはクリックされたメッセージの投稿者の識別情報（例えば、投稿者の名前、ＩＤ）が含まれている。メッセージ配信サーバ２の優先度付与部２３は、削除要求を各端末装置４から受信すると、削除要求で指定された投稿者（識別情報）毎に削除要求数をカウントし、削除要求数が所定の閾値を超えた投稿者についてはブラックリストに設定するなどして、これ以降、当該投稿者のメッセージがメッセージサーバ１に投稿され、蓄積部２６に格納されても、配信対象外とする。これにより、端末装置４でメッセージを読んでいる多数のユーザが表示したくないと感じる投稿者のメッセージ（例えば、誹謗、中傷など）を排除することができる。なお、端末装置４のブラウザ、（アプリなどの機能により、×印４８がクリックされると、クリックされたメッセージが当該端末装置４の表示画面上で即座に削除され、表示されなくなるようにしてもよい。
【００５４】
また、メッセージ配信部２５は、優先度ルールや着色ルールを、メッセージとともに端末装置４に配信し、端末装置４の画面に表示することとしてもよい。
【００５５】
図５は、端末装置４の表示画像に優先度ルールが表示される一例である。複数の優先度ルールをユーザに提示し、所望の優先度ルールをユーザが画面操作により選択可能なようにしている。図示する例では、端末装置４のリモコンボタンで現在使用されている優先度ルールを他の優先度ルールに変更可能であることを示している。着色ルールについても、優先度ルールと同様に、画面上に表示し、ユーザに選択させることとしてもよい。
【００５６】
端末装置４は、ユーザが操作した優先度ルールの変更指示または着色ルールの変更指示を、メッセージ配信サーバ２に送信する。メッセージ配信サーバ２のメッセージ配信部２５は、優先度ルールの変更指示を受信すると、指定された優先度ルールで選別されたメッセージを端末装置４に配信する。また、メッセージ配信部２５は、着色ルールの変更指示を受信すると、指定された着色ルールでメッセージを着色・編集し、端末装置４に配信する。
【００５７】
図６は、端末装置４の表示装置に表示される表示画像の一例である。図示する表示画像では、映像６１（野球のテレビ放送）の対戦チームのハッシュタグでメッセージをグループ分けし、画面左側にはＡチームのハッシュタグ（＃Ateam）を含むメッセージ群６２を、画面右側にはＢチームのハッシュタグ（＃Bteam）を含むメッセージ群６３が表示されている。また、図６では、ハッシュタグ毎に、当該ハッシュタグが含まれる、メッセージサーバ１に投稿されたメッセージ数６３を表示している。
【００５８】
そして、メッセージ配信部２５は、Ｓ１５で表示態様を決定したメッセージを、決定した表示態様を付加して（例えば、着色コードを付加して）、端末装置４に配信する（Ｓ１６）。Ｓ１１からＳ１６の処理は、所定のタイミングで繰り返し行なわれる。なお、メッセージ配信部２５は、映像配信サーバ３が配信する映像と、メッセージとが端末装置４の１つの表示画面で表示されるように配信する。
【００５９】
端末装置４のブラウザやＪＡＶＡ（登録商標）アプリなどは、映像とともにメッセージが配信されると、図４から図６に示すような画面を表示装置に表示する。なお、端末装置４のブラウザには、例えば、ＨＴＭＬブラウザ、ＴＶ用のＢＭＬブラウザ、ＩＰＴＶ用のＬＩＭＥブラウザなどを用いることが考えられる。
【００６０】
以上説明した本実施形態では、ユーザが一定の時間内に読むことのできるメッセージの数には限界があるので、ユーザの能力に適した数のメッセージだけをリアルタイムに配信し、端末装置４に表示させることができる。これにより、本実施形態では、多数のメッセージの中から所定の基準で選別されたメッセージのみが端末装置４がリアルタイムで表示されるため、ユーザが見たい、またはユーザに見せたいと推定されるメッセージをタイムリーに端末装置４に表示することができる。このように、メッセージを選択して配信することで、ユーザが一定の時間内に読むことができない大量のメッセージを送信し、意味のあるメッセージが埋もれてしまうという問題を解消することができる。
【００６１】
また、本実施形態では、メッセージサーバ１に送信されたメッセージをリアルタイムで収集し、優先度を付加し、配信するメッセージを選別する。これにより、メッセージ（ツイートなど）の鮮度を損なうことなく、端末装置４に配信し、表示させることができる。例えば、映像配信サーバ３が配信する映像がスポーツ中継の場合などでは、現在表示されている映像（試合状況）に合ったメッセージを表示することができる。
【００６２】
また、本実施形態では、選別したメッセージのみを端末装置４に配信するため、端末装置４へ配信する際のネットワークへの負荷（トラフィック）を低減することができる。
【００６３】
また、本実施形態では、優先度の決定ルールをユーザが選択でき、また、ユーザは削除したいメッセージをメッセージ配信サーバ２に送信し、メッセージ配信サーバ２は、これらのユーザの指示を反映したメッセージを選別し、配信することができ、ユーザの利便性を向上することができる。
【００６４】
なお、本発明は上記実施形態に限定されるものではなく、その要旨の範囲内で数々の変形が可能である。例えば、上記実施形態では、映像配信サーバ３が配信する映像とともに、メッセージ配信サーバ２が配信するメッセージを端末装置４で表示することとしたが、映像の配信に限らず、一定量のメッセージを連続して表示したい場合に適用することができる。
【００６５】
また、上記実施形態では、メッセージ配信サーバ２の優先度付与部２３が、所定の時間内に所定の量以下のメッセージを配信できるように、蓄積部２６のメッセージを選別することとしたが、メッセージの選別は、優先度付与部２３による自動の選別と、メッセージ配信サーバ２のシステム運営者による手動の選別とが混在していてもよい。この場合、自動または手動の選別方法によって、優先度の付与を変更することも考えられる。例えば、手動で選択したメッセージについて、最優先する（最も高い優先度を付与する）ことなどが考えられる。
【符号の説明】
【００６６】
１  ：メッセージサーバ
２  ：メッセージ配信サーバ
２１：通信部
２２：メッセージ収集部
２３：優先度付与部
２４：映像制御部
２５：メッセージ配信部
２６：蓄積部
２７：記憶部
３  ：映像配信サーバ
【図１】
0005718851.tif 000002
【図２】
0005718851.tif 000003
【図３】
0005718851.tif 000004
【図４】
0005718851.tif 000005
【図５】
0005718851.tif 000006
【図６】
0005718851.tif 000007